(57)【要約】【課題】適切な目的地が指定される可能性が高いナビゲーションシステム及び移動通信装置を提供する。【解決手段】目的地情報解析部４１は、与えられたオブジェクトに目的地を示すＵＲＩ、又は、その他の目的地を識別する情報が含まれている場合（ステップＳ４１ｂの「得られた」、又は、ステップＳ４１ｃの「得られた」）、得られた情報が固定電話番号であれば（ステップＳ４１ｄの「固定電話番号」）、その番号を住所に変換した上で（ステップＳ４１ｅ）、目的地の緯度経度を求めてルート検索部に通知する（ステップＳ４１ｇ）。ルート検索部は、現在位置から目的地へのルートを検索する。【選択図】  図６
2011153873.tif 000002
【特許請求の範囲】
【請求項１】
移動通信装置と、その移動通信装置から送信された、緯度及び経度を得るためのＵＲＩ、住所を得るためのＵＲＩ、固定電話番号を得るためのＵＲＩ、ウェブページを得るためのＵＲＬ、ウェブコンテンツ、固定電話番号、電子メールのうちの少なくとも１つを含むオブジェクトを受信し、そのオブジェクトによって識別される位置へのルートを求めるナビゲーション装置とが通信回線を介して接続されたナビゲーションシステムであって、
前記移動通信装置は、
入力手段からの入力に従って選択されたオブジェクトを前記ナビゲーション装置に送信するオブジェクト送信手段を有し、
前記ナビゲーション装置は、
前記移動通信装置から送信されたオブジェクトを受信するオブジェクト受信手段と、
前記オブジェクト受信手段によって受信されたオブジェクトを解析して位置情報を抽出する位置情報抽出手段と、
測位手段によって測位された現在位置から前記位置情報抽出手段によって抽出された位置情報によって識別される位置へのルートを求めるルート検索手段と
を備えたことを特徴とするナビゲーションシステム。
【請求項２】
前記オブジェクトは、ＩｒＭＣで規定されている形式である
ことを特徴とする請求項１に記載のナビゲーションシステム。
【請求項３】
前記位置情報は、住所、及び／又は、緯度と経度とである
ことを特徴とする請求項１に記載のナビゲーションシステム。
【請求項４】
前記通信回線は、ブルートゥース方式による回線、赤外線通信による回線、移動通信網による回線、又は、ケーブルを介した回線である
ことを特徴とする請求項１に記載のナビゲーションシステム。
【請求項５】
前記オブジェクトは、ＯＰＰプロファイル、又は、ＩｒＯＢＥＸプロトコルに従って送受信される
ことを特徴とする請求項１に記載のナビゲーションシステム。
【請求項６】
前記移動通信装置は、バーコード読み取り手段と、ブラウザ手段とを更に有し、
前記オブジェクトは、前記バーコード読み取り手段が読み取ったＵＲＬによって識別されるウェブページへ前記ブラウザ手段がアクセスして得られたウェブコンテンツの少なくとも一部である
ことを特徴とする請求項１に記載のナビゲーションシステム。
【請求項７】
入力手段からの入力に従い、緯度及び経度を得るためのＵＲＩ、住所を得るためのＵＲＩ、固定電話番号を得るためのＵＲＩ、ウェブページを得るためのＵＲＬ、ウェブコンテンツ、固定電話番号、電子メールのうちの少なくとも１つを含むオブジェクトを選択するオブジェクト選択手段と、
前記オブジェクト選択手段によって選択されたオブジェクトを解析して位置情報を抽出する位置情報抽出手段と、
測位手段によって測位された自装置の現在位置から前記位置情報抽出手段によって抽出された位置情報によって識別される位置へのルートを求めるルート検索手段と
を備えたことを特徴とする移動通信装置。
【請求項８】
入力手段からの入力に従い、緯度及び経度を得るためのＵＲＩ、住所を得るためのＵＲＩ、固定電話番号を得るためのＵＲＩ、ウェブページを得るためのＵＲＬ、ウェブコンテンツ、固定電話番号、電子メールのうちの少なくとも１つを含むオブジェクトを選択するオブジェクト選択手段と、
前記オブジェクト選択手段によって選択されたオブジェクトを解析して位置情報を抽出する位置情報抽出手段と、
前記位置情報抽出手段によって抽出された位置情報を送信する位置情報送信手段と
を備えたことを特徴とする移動通信装置。
【請求項９】
バーコード読み取り手段と、ブラウザ手段とを更に有し、
前記オブジェクトは、前記バーコード読み取り手段が読み取ったＵＲＬによって識別されるウェブページへ前記ブラウザ手段がアクセスして得られたウェブコンテンツの少なくとも一部である
ことを特徴とする請求項７又は請求項８に記載の移動通信装置。
【請求項１０】
緯度及び経度を得るためのＵＲＩ、住所を得るためのＵＲＩ、固定電話番号を得るためのＵＲＩ、ウェブページを得るためのＵＲＬ、ウェブコンテンツ、固定電話番号、電子メールのうちの少なくとも１つを含むオブジェクトを受信するオブジェクト受信手段と、
前記オブジェクト受信手段によって受信されたオブジェクトを解析して位置情報を抽出する位置情報抽出手段と、
測位手段によって測位された現在位置から前記位置情報抽出手段によって抽出された位置情報によって識別される位置へのルートを求めるルート検索手段と
を備えたことを特徴とする移動通信装置。
【請求項１１】
前記オブジェクトは、ＩｒＭＣで規定されている形式である
ことを特徴とする請求項７、請求項８、又は、請求項１０に記載の移動通信装置。
【請求項１２】
前記位置情報は、住所、及び／又は、緯度と経度である
ことを特徴とする請求項７、請求項８、又は、請求項１０に記載の移動通信装置。
【発明の詳細な説明】
【技術分野】
【０００１】
本発明は、ナビゲーションシステム及び移動通信装置に係り、特に、目的地の指定処理に関する。
【背景技術】
【０００２】
現在地から指定された目的地までのルートを検索して、表示するナビゲーション装置が知られている。この装置には、車載型のもの（カーナビと称されることもある。）もあり、また、移動通信装置に組み込まれた、携帯型のものもある。
【０００３】
目的地の指定は、例えば、メニューを介して住所を入力することによって行なわれる。即ち、まず、都道府県一覧のメニューを介して都道府県を指定し、指定された都道府県に含まれる市区町村一覧のメニューを介して市区町村を指定するように、階層構造のメニューをたどり、最後に番地を入力する。
【０００４】
このようにメニューを介して目的地を指定することは、必ずしも短時間で行われるものではない。そこで、ナビゲーション装置は、例えば、携帯電話に記憶されたスケジュール情報と、アドレス帳とを通信回線を介して入力し、スケジュール情報を参照して訪問しようとしている人や、会社の名前を得る。そして、その名前を検索キーにアドレス帳を検索することによって、目的地の住所を得ることが知られている（例えば、特許文献１参照。）。
【先行技術文献】
【特許文献】
【０００５】
【特許文献１】特開２００２−１０７１７４号公報（第２頁、図１、図５）
【発明の概要】
【発明が解決しようとする課題】
【０００６】
しかしながら、上述した特許文献１に開示されている方法では、適切な目的地が指定されないことが多い問題点があった。なぜなら、第１に、スケジュール情報は、携帯電話の使用者だけが理解できれば良いため、目的地が省略されて、更には、記号化されて記憶されており、人や会社の名前が正しく記憶されていないことが少なくないからである。第２に、携帯電話のアドレス帳には、人や会社の名前の他、その人の携帯電話の電話番号が記憶されているものの、その人の住所が記憶されていないことが少なくないからである。
【０００７】
本発明は上記問題点を解決するためになされたもので、適切な目的地が指定される可能性が高いナビゲーションシステム及び移動通信装置を提供することを目的とする。
【課題を解決するための手段】
【０００８】
上記目的を達成するために、本発明のナビゲーションシステムは、移動通信装置と、その移動通信装置から送信された、緯度及び経度を得るためのＵＲＩ、住所を得るためのＵＲＩ、固定電話番号を得るためのＵＲＩ、ウェブページを得るためのＵＲＬ、ウェブコンテンツ、固定電話番号、電子メールのうちの少なくとも１つを含むオブジェクトを受信し、そのオブジェクトによって識別される位置へのルートを求めるナビゲーション装置とが通信回線を介して接続されたナビゲーションシステムであって、前記移動通信装置は、入力手段からの入力に従って選択されたオブジェクトを前記ナビゲーション装置に送信するオブジェクト送信手段を有し、前記ナビゲーション装置は、前記移動通信装置から送信されたオブジェクトを受信するオブジェクト受信手段と、前記オブジェクト受信手段によって受信されたオブジェクトを解析して位置情報を抽出する位置情報抽出手段と、測位手段によって測位された現在位置から前記位置情報抽出手段によって抽出された位置情報によって識別される位置へのルートを求めるルート検索手段とを備えたことを特徴とする。
【０００９】
また、本発明の移動通信装置は、入力手段からの入力に従い、緯度及び経度を得るためのＵＲＩ、住所を得るためのＵＲＩ、固定電話番号を得るためのＵＲＩ、ウェブページを得るためのＵＲＬ、ウェブコンテンツ、固定電話番号、電子メールのうちの少なくとも１つを含むオブジェクトを選択するオブジェクト選択手段と、前記オブジェクト選択手段によって選択されたオブジェクトを解析して位置情報を抽出する位置情報抽出手段と、測位手段によって測位された自装置の現在位置から前記位置情報抽出手段によって抽出された位置情報によって識別される位置へのルートを求めるルート検索手段とを備えたことを特徴とする。
【発明の効果】
【００１０】
本発明によれば、適切な目的地が指定されることが多い。
【図面の簡単な説明】
【００１１】
【図１】本発明の第１の実施形態に係るナビゲーションシステムの構成を示すブロック図。
【図２】本発明の第１の実施形態に係る移動通信装置の構成を示すブロック図。
【図３】本発明の第１の実施形態に係るナビゲーション装置の構成を示すブロック図。
【図４】本発明の第１の実施形態に係るナビゲーション装置のナビゲーション部の構成を示すブロック図。
【図５】本発明の第１の実施形態に係るナビゲーションシステムにおける目的地へのルート検索の動作のシーケンス図。
【図６】本発明の第１の実施形態に係るナビゲーション装置の目的地情報解析部の動作のフローチャート。
【図７】本発明の第２の実施形態に係る移動通信装置の構成を示すブロック図。
【図８】本発明の第２の実施形態に係る移動通信装置のナビゲーション部の構成を示すブロック図。
【発明を実施するための形態】
【００１２】
以下に、本発明の実施形態に係るナビゲーションシステム及び移動通信装置の実施の形態を、図面を参照して説明する。
【００１３】
（第１の実施形態）
図１は、本発明の第１の実施形態に係るナビゲーションシステムの構成を示すブロック図である。このナビゲーションシステムは、移動通信装置ＭＳ−１と、例えば、車載型装置であるナビゲーション装置ＮＶとが近距離無線通信網ＮＷを介して接続されることによって構成される。近距離無線通信網ＮＷは、ブルートゥース（登録商標、Bluetooth）方式による通信網である。なお、ナビゲーション装置ＮＶは、車載型ハンズフリー通話装置を兼ねても良い。
【００１４】
図２は、本発明の第１の実施形態に係る移動通信装置ＭＳ−１の構成を示すブロック図である。この移動通信装置ＭＳ−１は、装置全体の制御を行う制御部１１と、移動通信網通信部１２と、移動通信網に属する基地局（図示せず）との間で無線信号の送受信を行うアンテナ１２ａと、移動通信網送受信部１３と、通話部１４と、受話用のスピーカ１４ａと、送話用のマイクロフォン１４ｂと、使用者へ情報の提示を行う表示部１５と、使用者からの操作指示を入力する入力部１６と、近距離無線通信部１７と、近距離無線通信網ＮＷを介して近距離無線信号の送受信を行うアンテナ１７ａと、近距離無線送受信部１８と、バーコード解析部１９と、画像を撮影するカメラ１９ａと、電子メール送受信部２１と、ブラウザ部２２と、アプリケーション用記憶部２３とからなる。
【００１５】
なお、制御部１１がプログラムを実行することで実現される本発明に関する機能として、目的地情報送信制御機能１１−１がある。また、アプリケーション用記憶部２３に記憶される情報は、バーコード解析部１９によって解析されたバーコード情報と、電子メール送受信部２１によって受信された、並びに、送信が保留されている及び送信された電子メールと、ブラウザ部２２によってアクセスされたウェブコンテンツとを含む。なお、ウェブコンテンツとは、文字、画像情報、リンク情報などから構成されるウェブページである。
【００１６】
図３は、本発明の第１の実施形態に係るナビゲーション装置ＮＶの構成を示すブロック図である。このナビゲーション装置ＮＶは、装置全体の制御を行う制御部３１と、近距離無線通信部３２と、近距離無線通信網ＮＷを介する近距離無線信号の送受信を行うアンテナ３２ａと、近距離無線送受信部３３と、ＧＰＳシステム等の測位用衛星から送信された電波によって現在位置を測位する測位部３４と、測位用衛星から送信された電波を受信するアンテナ３４ａと、目的地へのルートなどを表示する表示部３５と、使用者からの操作指示を入力する入力部３６と、ナビゲーション部４０とからなる。
【００１７】
図４は、ナビゲーション部４０の詳細な構成を示すブロック図である。このナビゲーション部４０は、制御部３１と接続され、目的地情報解析部４１と、ルート検索部４２と、ナビゲーション用記憶部４３とからなる。
【００１８】
なお、制御部３１がプログラムを実行することで実現される本発明に関する機能として、ナビゲーション制御機能３１−１がある。また、ナビゲーション用記憶部４３に記憶される情報は、近距離無線送受信部３３によって受信された目的地情報と、都道府県から市区町村まで、階層構造に整えられた住所情報と、固定電話番号及び住所の対応である電話番号住所対応と、道路の経路を示す道路情報と、地図情報とを含む。
【００１９】
続いて、移動通信装置ＭＳ−１、及びナビゲーション装置ＮＶそれぞれにおける各部の動作を説明する。まず、移動通信装置ＭＳ−１の各部の動作について、図２を参照して説明する。
【００２０】
移動通信網通信部１２は、アンテナ１２ａが基地局から受信した無線信号から高周波信号を得て、この高周波信号を移動通信網送受信部１３に送信する。また、移動通信網送受信部１３から送信された高周波信号をアンテナ１２ａに送信する。
【００２１】
移動通信網送受信部１３は、移動通信網通信部１２からの高周波信号を増幅、周波数変換及び復調し、それによって得たデジタル音声信号を通話部１４へ、制御信号を制御部１１へ、電子メールに係る信号を電子メール送受信部２１へ、ウェブページに係る信号をブラウザ部２２へ、それぞれ送信する。
【００２２】
更には、移動通信網送受信部１３は、通話部１４から送信されたデジタル音声信号と、制御部１１から送信された制御信号と、電子メール送受信部２１から送信された電子メールに係る信号と、ブラウザ部２２から送信されたウェブページへのアクセスに係る信号とを変調、周波数変換及び増幅し、高周波信号を得て、それを移動通信網通信部１２に送信する。
【００２３】
通話部１４は、移動通信網送受信部１３から送信されたデジタル音声信号をアナログ音声信号に変換し、それを増幅してスピーカ１４ａに送る。また、マイクロフォン１４ｂが送信するアナログ音声信号を増幅し、それをデジタル音声信号に変換して移動通信網送受信部１３へ送信する。
【００２４】
表示部１５は、例えばＬＣＤ（Liquid Crystal Display）の表示部であり、制御部１１の制御により、使用者に操作を促す表示や、使用者が操作した内容の表示や、装置の動作状態の表示などを行う。
【００２５】
入力部１６は、電話番号を含む数字や電子メールを作成する際の文字などの入力に用いられる文字・数字キーと、移動通信装置ＭＳ−１の電源のオン及びオフなどの動作指示や、発信及び着信応答などの操作指示などを入力するために用いられる複数の機能キーを備え、使用者が操作したキーを識別するコード信号を制御部１１へ通知する。
【００２６】
近距離無線通信部１７は、アンテナ１７ａを介して近距離無線通信網ＮＷから受信した近距離無線信号を近距離無線送受信部１８に送信する。また、近距離無線送受信部１８から送信された近距離無線信号を、アンテナ１７ａを介して近距離無線通信網ＮＷに送信する。
【００２７】
近距離無線送受信部１８は、ナビゲーション装置ＮＶとの間で信号を送受信するとき、近距離無線通信部１７を制御して、近距離無線通信網ＮＷ上の無線リンクを確立させる。そして、信号は、この確立した無線リンク上のＯＢＥＸ（Object Exchange、オブジェクト交換）プロトコルを使用するＯＰＰ（Object Push Profile）プロファイルを介して送受信される。なお、この確立された無線リンクは上記信号の送受信が終了すると、近距離無線送受信部１８による制御を受けて近距離無線通信部１７によって切断される。
【００２８】
バーコード解析部１９は、カメラ１９ａに画像を撮影させる。そして撮影された画像に含まれるＱＲコード（登録商標）などのバーコード画像信号を解析し、その画像信号を文字列に変換する。そして、得られた文字列であるバーコード情報をアプリケーション用記憶部２３に記憶させると共に、表示部１５に表示させる。なお、バーコード解析部１９は、その文字列がウェブページを示すＵＲＬ（Uniform Resource Locator）である場合、入力部１６の所定のキー操作の入力に応答して、又は、ＵＲＬの検出に応答して自動的に、ブラウザ部２２にそのウェブページへアクセスさせても良い。更には、バーコード解析部１９は、入力部１６の所定のキー操作に従って、アプリケーション用記憶部２３に記憶されたバーコード情報を表示部１５に表示させる。
【００２９】
電子メール送受信部２１は、電子メールの送受信を行う。即ち、入力部１６の所定のキー操作によって入力された電子メールアドレス宛ての、入力部１６の所定のキー操作によって入力された電子メールをアプリケーション用記憶部２３に記憶させ、その電子メールを移動通信網送受信部１３を介してメールサーバ装置（図示せず）に対して送信する。また、メールサーバ装置から送信された電子メールを移動通信網送受信部１３を介して受信して、アプリケーション用記憶部２３に記憶させる。更には、入力部１６の所定のキー操作に従って、アプリケーション用記憶部２３に記憶された電子メールを表示部１５に表示させる。
【００３０】
ブラウザ部２２は、ウェブページを示すＵＲＬによって識別されるウェブサーバ装置（図示せず）に記憶されたウェブページに移動通信網送受信部１３を介してアクセスして、そのページのウェブコンテンツをダウンロードしてアプリケーション用記憶部２３に記憶させ、そして、再生する。即ち、そのデータに含まれる静止画像及び動画像、並びに、文字を表示部１５に表示させる。
【００３１】
なお、ウェブページを示すＵＲＬは、入力部１６の所定のキー操作によって指定されても良く、また、バーコード解析部１９によって解析されたバーコード情報であっても良い。このバーコード情報は、バーコード解析部１９によって解析され、入力部１６の操作を経て、又は、経ずにブラウザ部２２通知されたものでも良く、アプリケーション用記憶部２３に記憶され、入力部１６の操作によって選択されたものでも良い。また、ブラウザ部２２は、入力部１６の所定のキー操作に従って、アプリケーション用記憶部２３に記憶されたウェブコンテンツを再生する。
【００３２】
目的地情報送信制御機能１１−１は、アプリケーション用記憶部２３に記憶された、バーコード情報、電子メール、及び、ウェブコンテンツの中で、入力部１６の所定のキー操作によって指定されたものを目的地情報として、近距離無線送受信部１８を介してナビゲーション装置ＮＶへ送信させて、ナビゲーション装置ＮＶに目的地までのルートを求めさせる。なお、目的地情報は、例えば、ＩｒＭＣ（Infra-red Mobile Communication）で規定された、ｖＮｏｔｅや、ｖＭｅｓｓａｇｅなどの形式のオブジェクトに変換されて送信させる。
【００３３】
次に、ナビゲーション装置ＮＶの各部の動作を、図３及び図４を参照して説明する。
【００３４】
近距離無線通信部３２は、アンテナ３２ａを介して近距離無線通信網ＮＷから受信した近距離無線信号を近距離無線送受信部３３に送信する。また、近距離無線送受信部３３から送信された近距離無線信号をアンテナ３２ａに送信する。
【００３５】
近距離無線送受信部３３は、移動通信装置ＭＳ−１との間で信号を送受信するとき、近距離無線通信部３２を制御して近距離無線通信網ＮＷ上の無線リンクを確立させる。そして、信号は、この確立した無線リンク上のＯＢＥＸプロトコルを使用するＯＰＰプロファイルを介して送受信される。なお、この確立された無線リンクは上記信号の送受信が終了すると、近距離無線送受信部３３による制御を受けて近距離無線通信部３２によって切断される。
【００３６】
測位部３４は、アンテナ３４ａによって受信された、少なくとも４つのＧＰＳシステム等の測位用衛星から送信された電波を受信する。そして、その電波が衛星から送信されてから受信されるまでの時間から、ナビゲーション装置ＮＶが位置する現在地の緯度及び経度を算出する。
【００３７】
表示部３５は、例えばＬＣＤなどから成り、制御部３１より起動されることにより、使用者に操作を促す表示や、使用者が操作した内容の表示や、ルート検索部４２によって検索された目的地へのルートなどを表示する。ここで、ルートの表示の際には、ルートを含む場所の地図情報が併せて表示される。
【００３８】
入力部３６は、装置の電源のオン及びオフを指示するためのキー、表示部１５に表示されたメニューの中の１つの項目を選択するためのカーソル移動キー及び決定キーなどの機能キー、並びに、数字を含む文字を入力するための数字キーからなり、使用者が操作した各キーを識別するコード信号を制御部３１へ通知する。
【００３９】
目的地情報解析部４１は、ナビゲーション制御機能３１−１によって起動され、ナビゲーション用記憶部４３に記憶された目的地情報を解析して、目的地を示す情報を得て、目的地の緯度及び経度を求める。ここで、目的地情報は、文字列データであり、目的地を示す情報は、目的地の住所、固定電話番号、並びに、緯度及び経度のいずれか１つ、又は、複数である。住所は、ナビゲーション用記憶部４３に記憶された住所情報を参照して、固定電話番号は、ナビゲーション用記憶部４３に記憶された電話番号住所対応を参照して住所に変換された上で住所情報を参照して、それぞれ緯度及び経度に変換される。
【００４０】
ルート検索部４２は、ナビゲーション制御機能３１−１によって起動され、測位部３４によって算出されたナビゲーション装置ＮＶが位置する現在地の緯度及び経度、目的地情報解析部４１によって求められた目的地の緯度及び経度、並びに、ナビゲーション用記憶部４３に記憶された道路情報から、現在地から目的地までのルートを検索する。そして、そのルートを、そのルート周辺の地図と共に、表示部３５に表示させる。なお、周辺の地図は、ナビゲーション用記憶部４３に記憶された地図情報の一部を切り出すことによって得られる。
【００４１】
ナビゲーション制御機能３１−１は、入力部３６の所定の操作によって動作を開始し、目的地の住所を入力部３６の操作によって入力する。そして、その住所を、目的地情報としてナビゲーション用記憶部４３に記憶させる。そして、目的地情報解析部４１と、ルート検索部４２とを順次動作させることによって、現在地から目的地までのルートを表示部３５に表示させる。
【００４２】
なお、目的地の住所の入力の際、ナビゲーション制御機能３１−１は、ナビゲーション用記憶部４３に記憶された住所情報を参照して、上位階層の住所（都道府県）の一覧を表示部３５に表示させ、その中の１つを入力部３６の操作によって選択させることによって入力する。次に、同様に、その入力された住所に含まれるより下位の階層の住所（市区町村）の一覧から１つを入力し、最後に、番地を入力させる。
【００４３】
また、ナビゲーション制御機能３１−１は、近距離無線送受信部３３を介して目的地情報が受信された場合、動作を開始し、その目的地情報をナビゲーション用記憶部４３に記憶させる。そして、目的地情報解析部４１と、ルート検索部４２とを順次動作させることによって、現在地から目的地までのルートを表示部３５に表示させる。
【００４４】
上記のように構成された、本発明の第１の実施形態に係るナビゲーションシステムにおける目的地へのルート検索の動作を、図５に示すシーケンス図を参照して説明する。この制御動作は、二分され、第１に、移動通信装置ＭＳ−１の目的地情報送信制御機能１１−１が制御する、例えば、ＩｒＭＣで規定された、ｖＮｏｔｅや、ｖＭｅｓｓａｇｅなどの形式のオブジェクトである目的地情報を生成する動作である。そして、第２に、ナビゲーション装置ＮＶのナビゲーション制御機能３１−１が制御する、そのオブジェクトである目的地情報から目的地の緯度及び経度を求めさせ、現在地からその目的地までのルートを検索させ、表示させる動作である。
【００４５】
目的地情報送信制御機能１１−１は、入力部１６の所定のキー操作に基づいて動作を開始し（ステップＳ１０１）、アプリケーション用記憶部２３に記憶されたバーコード情報、電子メール、及び、ウェブコンテンツの中の１つから目的地情報であるオブジェクトを生成する（ステップＳ１０２）。オブジェクトの生成には、以下に示すように、アプリケーション用記憶部２３に記憶された情報に依存した、種々の動作を含む。
【００４６】
第１に、アプリケーション用記憶部２３に記憶された情報がオブジェクトである場合、そのオブジェクトをそのまま生成されたオブジェクトとする。特に、バーコード情報は、オブジェクトである可能性が高い。第２に、バーコード情報がウェブページを示すＵＲＬである場合、目的地情報送信制御機能１１−１は、ブラウザ部２２にそのアドレスへアクセスさせる。そして、得られたウェブコンテンツからｖＮｏｔｅオブジェクトを生成する。
【００４７】
第３に、電子メールからｖＭｅｓｓａｇｅオブジェクトを生成する。電子メールは、受信された電子メールでも、送信用で未送信の、又は、送信された電子メールでも良い。第４に、ウェブコンテンツからｖＮｏｔｅオブジェクトを生成する。
【００４８】
なお、ウェブコンテンツからｖＮｏｔｅオブジェクトを生成する際、ウェブコンテンツから文字列情報を抽出するが、これに限るものではない。これに加えて、ウェブコンテンツに含まれる画像を対象に文字認識をして文字を抽出しても良い。
【００４９】
上記以外にも、例えば、メモ帳管理部（図示せず）が入力部１６のキー操作によって入力されたメモ帳をアプリケーション用記憶部２３に記憶させる場合、目的地情報送信制御機能１１−１は、その記憶されたメモ帳の１項目からｖＮｏｔｅオブジェクトを生成する。
【００５０】
なお、上記目的地情報送信制御機能１１−１が動作を開始させるための所定のキー操作は、バーコード解析部１９、電子メール送受信部２１、又は、ブラウザ部２２が動作中のキー操作であっても良い。例えば、バーコード解析部１９がバーコード情報を、電子メール送受信部２１が電子メールを、又は、ブラウザ部２２がウェブコンテンツを表示部１５に表示させている際のキー操作によって、目的地情報送信制御機能１１−１は、それぞれ、表示されているバーコード情報、電子メール、又は、ウェブコンテンツから目的地情報を生成する。
【００５１】
更には、上記所定のキー操作は、バーコード解析部１９、電子メール送受信部２１、又は、ブラウザ部２２を動作させるためのキー操作を兼ねても良い。例えば、バーコード解析部１９を動作させるためのキー操作を兼ねた場合、装置の使用者は、カメラ１９ａをバーコードに向けて、１回のキー操作をすることによって、バーコード解析部１９がそのバーコードを解析し、ウェブページを示すＵＲＬが得られた場合、ブラウザ部２２にそのＵＲＬで識別されるウェブページにアクセスさせ、目的地情報送信制御機能１１−１は、表示されているウェブコンテンツから目的地情報を生成する。
【００５２】
オブジェクトが生成されると、目的地情報送信制御機能１１−１は、近距離無線送受信部１８に対して、ナビゲーション装置ＮＶとの間で近距離無線通信リンクの確立と、ＯＢＥＸプロトコルによる接続を要求する（ステップＳ１０３）。この要求に従い、近距離無線送受信部１８は、ナビゲーション装置ＮＶの近距離無線送受信部３３との間で、リンク確立と、ＯＢＥＸプロトコルによる接続を行い（ステップＳ１０４）、接続完了を目的地情報送信制御機能１１−１に応答する（ステップＳ１０５）。
【００５３】
すると、目的地情報送信制御機能１１−１は、近距離無線送受信部１８に対して、ナビゲーション装置ＮＶへ生成されたオブジェクトを送信することを要求する（ステップＳ１０６）。この要求に従い、近距離無線送受信部１８は、ナビゲーション装置ＮＶの近距離無線送受信部３３へオブジェクトを送信する（ステップＳ１０７）。
【００５４】
近距離無線送受信部３３は、受信されたオブジェクトをナビゲーション制御機能３１−１へ送信する（ステップＳ１０８）。ナビゲーション制御機能３１−１は、オブジェクトを受信すると、その受信完了を近距離無線送受信部３３に応答することに応じて（ステップＳ１０９）、近距離無線送受信部３３は、近距離無線送受信部１８へ受信完了を応答する（ステップＳ１１０）。近距離無線送受信部１８は、近距離無線送受信部３３から受信完了の応答を受信すると、目的地情報送信制御機能１１−１へオブジェクト送信完了を応答する（ステップＳ１１１）。
【００５５】
すると、目的地情報送信制御機能１１−１は、ステップＳ１０３〜ステップＳ１０５で確立されたリンクの切断を近距離無線送受信部１８に要求し、（ステップＳ１１２）。近距離無線送受信部１８は、近距離無線送受信部３３との間でそのリンクを切断して（ステップＳ１１３）、切断完了を目的地情報送信制御機能１１−１に応答する（ステップＳ１１４）。以上によって、移動通信装置ＭＳ−１の目的地情報送信制御機能１１−１が行う目的地へのルート検索の動作は終了する。
【００５６】
一方、ステップＳ１０８でオブジェクトを受信したナビゲーション制御機能３１−１は、そのオブジェクトの解析を目的地情報解析部４１に要求し（ステップＳ１２１）、目的地情報解析部４１は、その解析を行い（解析結果として、目的地の緯度及び経度が得られる。）、解析完了をナビゲーション制御機能３１−１に応答する（ステップＳ１２２）。
【００５７】
すると、ナビゲーション制御機能３１−１は、目的地情報解析部４１によって得られた解析結果を添えて、ルート検索部４２に目的地までのルートの検索を要求し（ステップＳ１２３）、ルート検索部４２は、そのルートを検索し、得られたルートを表示部１５に表示させる（ステップＳ１２４）。なお、目的地情報解析部４１によって解析結果が得られなかった場合、ナビゲーション制御機能３１−１は、ルート検索部４２に目的地までのルートの検索を要求しない（図示せず）。
【００５８】
次に、図６に示すフローチャートを参照して、目的地情報解析部４１の動作を詳細に説明する。目的地情報解析部４１は、ナビゲーション制御機能３１−１によって起動されて動作を開始する（ステップＳ４１ａ）。このとき、目的地情報が与えられる。目的地情報は、ＩｒＭＣで規定されたオブジェクトである。
【００５９】
目的地情報解析部４１は、目的地情報を解析して、そのオブジェクトに含まれた目的地を示すＵＲＩ（Uniform Resource Identifier）が得られたか否かを判断する（ステップＳ４１ｂ）。ここで、目的地を示すＵＲＩとは、緯度及び経度を示すＵＲＩ、住所を示すＵＲＩ、及び、固定電話番号を示すＵＲＩである。なお、複数個が得られることもある。
【００６０】
目的地を示すＵＲＩが得られなかった場合、目的地情報解析部４１は、そのオブジェクトをパーシング、即ち、形態素解析して、目的地を識別する情報が得られたか否かを判断する（ステップＳ４１ｃ）。ここで、目的地を識別する情報とは、緯度及び経度を識別する情報、住所を識別する情報、及び、固定電話番号を識別する情報である。なお、複数個が得られることもある。
【００６１】
ステップＳ４１ｂで目的地を示すＵＲＩが得られた場合、及び、ステップＳ４１ｃで目的地を識別する情報が得られた場合、目的地情報解析部４１は、得られたＵＲＩ／情報を判断し（ステップＳ４１ｄ）、得られたＵＲＩ／情報が固定電話番号である場合、ナビゲーション用記憶部４３に記憶された電話番号住所対応を参照して、その住所を住所に変換する（ステップＳ４１ｅ）。
【００６２】
得られたＵＲＩ／情報が緯度及び経度、又は、住所である場合、及び、得られたＵＲＩ／情報が固定電話番号であり、この固定電話番号がステップＳ４１ｅで住所に変換されると、目的地情報解析部４１は、得られた緯度及び経度、及び／又は、住所を表示部１５に表示し、確認した旨の入力部１６の操作を求める。もし、得られた緯度及び経度、又は、住所が複数であれば、入力部１６の操作によって、その中の１つを選択する（ステップＳ４１ｆ）。この表示の際、得られた情報が緯度及び経度である場合、ナビゲーション用記憶部４３に記憶された住所情報を参照して、その緯度及び経度を住所に変換する。そして、目的地情報解析部４１は、その緯度及び経度とともに前記変換で得られた住所を、又は、その経度及び緯度に代えて前記変換された住所のみを、表示部１５に表示する。
【００６３】
また、この表示の際、目的地情報解析部４１は、現在地から目的地までの距離を併せて表示させてもよい。この場合、得られた情報が住所である場合、ナビゲーション用記憶部４３に記憶された住所情報を参照して、その住所を緯度及び経度に変換し、得られた又は変換された緯度及び経度と、現在地の緯度及び経度とから、上記距離を算出して表示させる。なお、現在地の緯度及び経度は、測位部３４に測位させる。なお、上記表示させる際、上記距離によって目的地をソートして、例えば、距離が短い順に表示させても良い。また、ステップＳ４１ｂで得られたＵＲＩに基づく表示を先に表示させても良い。目的地である確度がより高いと考えられるからである。
【００６４】
また、この表示の際、目的地情報解析部４１は、上記算出された距離が所定の値より大きい場合、目的地の緯度及び経度、又は、住所を表示部１５に表示させなくてもよい。これは、目的地ではないと判断されてしまう恐れがあるからである。なお、所定の値は、ナビゲーション装置ＮＶが車載型の装置の場合、数百キロメートル、携帯型の装置の場合、十キロメートル程度が適切であるが、これに限らない。入力部１６の操作によって設定されるとしても良い。
【００６５】
このように、目的地が確認、又は、選択された後、目的地情報解析部４１は、目的地の緯度及び経度をナビゲーション制御機能３１−１に通知し（ステップＳ４１ｇ）、動作を終了する（ステップＳ４１ｈ）。なお、ステップＳ４１ｃで目的地を識別する情報が得られなかった場合、その旨を表示部１５に表示させて（ステップＳ４１ｉ）、動作を終了する（ステップＳ４１ｈ）。
【００６６】
以上の説明では、ステップＳ４１ｂで目的地を示すＵＲＩが得られた場合、ステップＳ４１ｃのパーシングによって目的地を識別する情報を得る動作を行わないとした。ＵＲＩが得られた場合、パーシングによって情報を得るよりも確実な情報が得られると考えられるからであるが、これに限るものではない。ステップＳ４１ｂで目的地を示すＵＲＩが得られた場合、ステップＳ４１ｃのパーシングよって目的地を識別する情報を得る動作をしても良い。これによって、より多くの目的地を識別する情報が得られる。
【００６７】
以上説明した処理によって、バーコード情報、電子メール、及び、ウェブコンテンツから適切な目的地情報が得られることが多い。なぜなら、ある人を訪問する場合、電子メール送受信部２１を動作させ、その訪問予定の人からの電子メールを表示させて、目的地情報送信制御機能１１−１を動作させることにより、その電子メールに中の署名に含まれるその人の住所や固定電話番号を含む署名から、適切な目的地情報であるオブジェクトが生成されるからである。
【００６８】
なお、その人の自宅を訪問するなら、その人の個人の電子メールアドレスによって送信された電子メールを、その人が属する組織を訪問するなら、その人のその組織内の電子メールアドレスによって送信された電子メールを表示させる。また、訪問予定の人への電子メールを表示させても良い。この電子メールには、特に、正式な書類に準じた形式で作成された電子メールには、その人の自宅の、又は、その人が属する組織の住所などが含まれることが多いからである。
【００６９】
また、ある組織（以下、店舗や、レストランなどを含む。）へ行く場合、その組織の位置等を調べるため、ブラウザ部２２を動作させ、その組織によって作成されたウェブページを参照することが多い。そこで、そのページを参照中に目的地情報送信制御機能１１−１を動作させることにより、そのページのウェブコンテンツに通常含まれるその組織の住所や固定電話番号から、適切な目的地情報であるオブジェクトが生成されるからである。なお、組織の広告には、ウェブページを示すＵＲＬが２次元バーコードとして印刷されることも多く、上記ウェブページの参照は、そのバーコードをバーコード解析部１９に解析させることを経て行われることも多い。
【００７０】
以上説明したような移動通信装置ＭＳ−１と、ナビゲーション装置ＮＶとによるシステムによれば、携帯性に優れた移動通信装置ＭＳ−１がオブジェクトである目的地情報を生成する動作を分担する。そして、移動通信装置ＭＳ−１に比較すれば消費電力の制限がゆるいナビゲーション装置ＮＶがルート検索の動作を分担する。そこで、使用者の都合の良い時に、都合の良い場所で電子メールの送受信や、ウェブページへのアクセスをすることによって目的地情報の元になる情報を記憶させることができ、かつ、消費電力の過多の心配がなくナビゲーションを行わせることができる。
【００７１】
（第１の実施形態の変形例）
以上の説明で、移動通信装置ＭＳ−１からナビゲーション装置ＮＶへ送信される目的地情報は、例えば、ＩｒＭＣで規定されたオブジェクトである。これは、規定され、標準化された形式の送受によれば、この情報の送受信に係る処理部は、他の目的の送受信を行うことができるからである。しかし、これに限るものではなく、任意の形式でよい。この場合、オブジェクトの一例は、アプリケーション用記憶部２３に記憶されたバーコード情報、電子メール、及び、ウェブコンテンツである。
【００７２】
以上の説明で、近距離無線通信網ＮＷは、ブルートゥース（Ｒ）方式による通信網であるとしたが、これに限るものではない。通信方式は、赤外線通信方式、無線ＬＡＮ方式、また、ケーブルを介した方式であっても良い。赤外線通信方式による場合、ＯＢＥＸプロトコルに代えて、ＩｒＯＢＥＸプロトコルが用いられる。更には、移動通信網を介した通信方式でも良い。
【００７３】
移動通信網を介した通信による場合、ナビゲーション装置ＮＶは、移動通信網通信部と、移動通信網に属する基地局との間で無線信号の送受信を行うアンテナと、移動通信網送受信部とを備え、移動通信網に属する基地局（図示せず）との間で通信する。また、この場合、移動通信装置ＭＳ−１及びナビゲーション装置ＮＶは、近距離無線通信に係る処理部を備えなくとも良い。
【００７４】
ナビゲーション装置ＮＶが移動通信網を介した通信をする場合、ナビゲーション装置ＮＶは、ナビゲーション用記憶部４３に記憶された情報に代えて、又は、加えて、移動通信網を介した通信によってアクセス可能な検索機能を提供する装置（図示せず）に記憶された情報を参照しても良い。また、検索に用いられる情報をダウンロードしてナビゲーション用記憶部４３に記憶させても良い。
【００７５】
これによれば、多種の情報の参照が可能であり、また、情報の更新が遅滞無く行われているウェブサーバ装置を選択することによって、より多くの、かつ、最新の情報の参照が容易である。検索機能を提供する装置の一例は、汎用の検索サイトであり、固定電話番号を含む、任意のキーワードを指定したウェブページの検索によって、所望の情報が得られる。また、別の例は、日本電信電話株式会社グループ発行の電話帳に記載された情報を記憶し、固定電話番号を検索キーとして住所を検索する装置である。
【００７６】
（第２の実施形態）
本発明の第２の実施形態に係るナビゲーションシステムは、移動通信装置ＭＳ−２からなる。図７は、本発明の第２の実施形態に係る移動通信装置ＭＳ−２の構成を示すブロック図である。この移動通信装置ＭＳ−２は、第１の実施形態に係る移動通信装置ＭＳ−１と類似している。そこで、同じ部分には同じ符号を付して説明を省略し、相違点を説明する。
【００７７】
この移動通信装置ＭＳ−２は、移動通信装置ＭＳ−１と比較して、更に、測位部５１と、測位用衛星から送信された電波を受信するアンテナ５１ａと、ナビゲーション部６０とを備える。図８は、ナビゲーション部６０の詳細な構成を示すブロック図である。このナビゲーション部６０は、目的地情報解析部６１と、ルート検索部６２と、ナビゲーション用記憶部６３とからなる。また、制御部１１がプログラムを実行することで実現される本発明に関する機能として、更に、ナビゲーション制御機能１１−２を備える。
【００７８】
測位部５１、アンテナ５１ａ、目的地情報解析部６１、ルート検索部６２、ナビゲーション用記憶部６３、及び、ナビゲーション制御機能１１−２は、それぞれ、第１の実施形態のナビゲーション装置ＮＶの測位部３４、アンテナ３４ａ、目的地情報解析部４１、ルート検索部４２、ナビゲーション用記憶部４３、及び、ナビゲーション制御機能３１−１と同じ動作をするので、動作説明を省略する。
【００７９】
この移動通信装置ＭＳ−２における目的地へのルート検索の動作は、図５に示すシーケンスを参照して説明した第１の実施形態に係るナビゲーションシステムにおける動作と同じであり、説明を省略する。なお、自明なことであるが、図５を参照した動作と比較し、測位部３４、アンテナ３４ａ、目的地情報解析部４１、ルート検索部４２、ナビゲーション用記憶部４３、及び、ナビゲーション制御機能３１−１に代えて、測位部５１、アンテナ５１ａ、目的地情報解析部６１、ルート検索部６２、ナビゲーション用記憶部６３、及び、ナビゲーション制御機能１１−２が動作する。
【００８０】
また、この動作の際、入力部３６からの入力に代えて、入力部１６から入力し、表示部３５への表示に代えて、表示部１５への表示を行う。更に、ナビゲーション制御機能１１−２、及び、ナビゲーション部６０への入力（第１の実施形態では、入力部３６からの入力と説明した。）と、目的地情報送信制御機能１１−１への入力（第１の実施形態では、入力部１６からの入力と説明した。）とを別個の入力とせず、１つの入力によって、ナビゲーション制御機能１１−２、及び、ナビゲーション部６０への入力と、目的地情報送信制御機能１１−１への入力を兼ねても良い。
【００８１】
更に、この動作の際、目的地情報送信制御機能１１−１と、ナビゲーション制御機能１１−２との間の通信に近距離無線送受信部１８を介する必要はない。そこで、移動通信装置ＭＳ−２は、近距離無線通信部１７と、アンテナ１７ａと、近距離無線送受信部１８とを備えない構成としても良い。
【００８２】
以上説明したような移動通信装置ＭＳ−２によるナビゲーションによれば、携帯性に優れた小型の装置単体でナビゲーションが可能であり、歩行の際のナビゲーションにも適している。
【００８３】
（その他の実施形態）
第１の実施形態に係るナビゲーションシステムと、第２の実施形態に係るナビゲーションシステムとは、適宜組み合わせても良い。例えば、第１の実施形態で、ナビゲーション装置ＮＶに代えて、第２の実施形態の移動通信装置ＭＳ−２を用いても良い。これによれば、ナビゲーション装置ＮＶに代えて用いられる移動通信装置ＭＳ−２の移動通信網を介した通信によって、検索機能を提供する装置に記憶された情報を参照することができる。
【００８４】
また、第１の実施形態で、移動通信装置ＭＳ−１に代えて、第２の実施形態の移動通信装置ＭＳ−２を用いても良い。更に、ナビゲーション装置ＮＶに代えて、第２の実施形態の移動通信装置ＭＳ−２を用いても良い。これらの場合、目的地へのルート検索の動作を前半と後半とに二分し、前半を移動通信装置ＭＳ−１に代わる移動通信装置ＭＳ−２が行い、後半をナビゲーション装置ＮＶ（又は、その装置に代わる移動通信装置ＭＳ−２。）が行う。
【００８５】
動作を前半と後半とにどのように分割するかは任意であるが、例えば、図６に示す目的地情報解析部４１の動作を参照して説明すると、前半の動作は、（１）ステップＳ４１ｂの目的地を示すＵＲＩを得る動作、及び、ステップＳ４１ｃの目的地を識別する情報を得る動作とする、（２）ステップＳ４１ｆの得られた緯度及び経度、及び／又は、住所を求めるまでの動作とする、（３）ステップＳ４１ｆの得られた緯度及び経度、及び／又は、住所を表示、選択までの動作とする（この場合、後半の動作は、ルート検索部４２の動作となる。）、（４）全ての目的地情報解析部４１の動作とする、がある。
【００８６】
更には、前半の動作は、目的地情報解析部４１の動作、及び、ルート検索部４２の検索動作としても良い。この場合、後半の動作は、ルートの表示となるため、その表示動作を実行する装置は、ナビゲーション装置ＮＶ、又は、移動通信装置ＭＳ−２であって支障はないが、それらの装置のような、目的地へのルート検索の機能を備える装置であることを要しない。移動通信装置ＭＳ−１を含む、表示機能を備えた装置で実行が可能である。本発明は以上の構成に限定されるものではなく、種々の変形が可能である。
【符号の説明】
【００８７】
ＭＳ−１、ＭＳ−２  移動通信装置
ＮＶ  ナビゲーション装置
ＮＷ  近距離無線通信網
１１、３１  制御部
１１−１  目的地情報送信制御機能
１１−２、３１−１  ナビゲーション制御機能
１５、３５  表示部
１６、３６  入力部
１７、３２  近距離無線通信部
１８、３３  近距離無線送受信部
１９  バーコード解析部
２１  電子メール送受信部
２２  ブラウザ部
２３  アプリケーション用記憶部
３４、５１  測位部
４０、６０  ナビゲーション部
４１、６１  目的地情報解析部
４２、６２  ルート検索部
４３、６３  ナビゲーション用記憶部
【図１】
2011153873.tif 000003
【図２】
2011153873.tif 000004
【図３】
2011153873.tif 000005
【図４】
2011153873.tif 000006
【図５】
2011153873.tif 000007
【図６】
2011153873.tif 000008
【図７】
2011153873.tif 000009
【図８】
2011153873.tif 000010